(57)【要約】【課題】端末機器から状態情報を収集する際に、特定の状態変化の場合にデータ量を拡張して返信させる。【解決手段】状態変化のある端末機器に特定する状態変化監視手段と、火災受信部から伝送線を介して各端末機器の一つを特定して制御命令を送信し、特定された端末機器が制御命令に従う制御を実行するとともに、制御命令への応答として、特定された端末機器から伝送線を介する応答信号を送信して火災受信部が受信する個別制御手段と、火災受信部から伝送線を介して状態変化監視手段によって特定した状態変化のある端末機器の一つに対して、特定の状態変化の場合にデータ量の多い状態情報を返送させる拡張状態返送命令を送信し、特定された端末機器から伝送線を介するデータ量の多い拡張応答信号を送信して火災受信部が受信する情報拡張手段と、それぞれを備えている。【選択図】  図７
2004355544.tif 000002
【特許請求の範囲】
【請求項１】
火災受信部からの１本の伝送線に複数の端末機器が接続されて該火災受信部が各端末機器を個別に監視制御する火災報知設備において、
前記火災受信部から前記伝送線を介して前記各端末機器に対して呼出命令を送信し、該呼出命令への応答として、状態変化のある端末機器のみから前記伝送信号を介する割込応答信号、あるいは、前記各端末機器から前記伝送線を介する状態応答信号、いずれかを送信して前記火災受信部が受信することに基づいて、状態変化のある端末機器に特定する状態変化監視手段と、
前記火災受信部から前記伝送線を介して前記各端末機器の一つを特定して制御命令を送信し、特定された端末機器が該制御命令に従う制御を実行するとともに、該制御命令への応答として、該特定された端末機器から前記伝送線を介する応答信号を送信して前記火災受信部が受信する個別制御手段と、
前記火災受信部から前記伝送線を介して前記状態変化監視手段によって特定した前記状態変化のある端末機器の一つに対して、特定の状態変化の場合にデータ量の多い状態情報を返送させる拡張状態返送命令を送信し、特定された端末機器から前記伝送線を介するデータ量の多い拡張応答信号を送信して前記火災受信部が受信する情報拡張手段と、
それぞれを備えていることを特徴とする火災報知設備。
【請求項２】
状態変化監視手段は、各端末機器の全体に対する呼出信号を送信するシステムポーリング手段、あるいは、各端末機器を複数のグループに分けて各グループごとに呼出信号を順次複数送信するポイントポーリング手段であり、同時に、前記各端末機器は、前記呼出信号あるいは前記自己のグループに対する呼出信号に対して割込応答信号あるいは情報応答信号の送信を所定のタイミングで行うものである請求項１の火災報知設備。
【請求項３】
状態変化監視手段によって特定した状態変化のある端末機器の一つに対して、特定の状態変化でない場合でかつ状態情報の返送が必要な場合に、個別制御手段における制御命令として状態情報返送命令を送信し、該状態情報返送命令への応答として、該特定された端末機器から状態情報を返送する応答信号を受信するものである請求項１の火災報知設備。
【請求項４】
特定の状態変化は、端末機器が試験機能付き中継器であって、該試験機能付き中継器が異常状態を示すときである請求項１乃至３の火災報知設備。
【請求項５】
試験機能付き中継器は、感知器回線に自動試験機能付き感知器を所定数接続可能とされ、該自動試験機能付き感知器との間で信号伝送を行って、各自動試験機能付き感知器ごとの正常または異常の情報を収集するものであって、伝送線を介して拡張返送命令を受信した場合に、異常状態に関して前記各自動試験機能付き感知器ごとの正常または異常の情報をデータ量の多い状態情報として前記伝送線に送信する請求項４の火災報知設備。
【請求項６】
異常状態に関して、各自動試験機能付き感知器ごとの正常または異常の情報とともに、各自動試験機能付き感知器ごとの応答有無を送信する請求項５の火災報知設備。
【発明の詳細な説明】
【０００１】
【産業上の利用分野】
本発明は、火災報知設備に関するものである。
【０００２】
【従来の技術】
従来、火災感知器、中継器、発信機または被制御機器等の複数の端末機器が火災受信機に接続される火災報知設備において、各端末機器にアドレスを割付け、火災受信機側から、そのアドレスに基づいて端末機器を順次呼出し、呼出された端末機器だけが、その端末機器に関する個別情報（火災信号等）を火災受信機へ送信するポーリング方式（サイクリックポーリング方式）が用いられている。そして、多数の端末機器を、火災受信機がデータ処理を行って、順次呼出して各端末機器から火災発生等の情報を収集する。
【０００３】
このようなポーリング方式を用いると、各端末機器は、呼出を受けるまで、火災受信機に自己の情報を送信することはできない。この呼出を受ける周期は伝送線に接続されている端末機器数の増加に応じて長くなる。
【０００４】
そのため、伝送線上の複数の端末機器が複数のグループに分けられ、火災受信機がグループごとにポーリングを行い、複数のグループのうちの所定のグループへのポーリング信号発信に基づきそのグループに属する端末機器からの情報を時分割で受信するポーリング方式（ポイントポーリングセレクティング方式）が用いられている。そして、必要に応じて、特定の端末機器に状態情報返送命令のような制御命令を送信するセレクティングの動作を行うことが示されている（例えば、特許文献１参照）。
【０００５】
また、上記のポーリング方式とは異なる方式として、端末機器のうちで異常が生じた端末機器を火災受信機が確実に把握するための時間を短縮することを目的に、システムポーリングによってグループごとに状態変化を検出し、応答したグループに対してポイントポーリングによってグループ内の端末機器ごとに状態変化を検出して端末機器を特定し、セレクティングによって状態情報を収集するポーリング方式（システムポーリングセレクティング方式）も用いられているこの方式では、状態が変化しない端末機器を呼出す必要がないことから、状態変化の有る端末機器のみから状態情報を収集する（例えば、特許文献２参照）。
【０００６】
【特許文献１】
特開平１０−１８８１８６号公報
【０００７】
【特許文献２】
特開平２−２０１５９７号公報
【０００８】
【発明が解決しようとする課題】
上記の各ポーリング方式で用いられるセレクティングの動作において、従来は個々の端末機器に対して監視または制御の内容を示す情報が含められればよいことから、火災受信機から送信する命令種別を示すコマンドやそれに応答して端末機器が返信する応答信号の内容につき、それほど多くのデータ量は必要とされなかった。しかし、端末機器から返信する情報が複雑な場合には、データ量を多く送信できることが要望される。
【０００９】
なお、これに対して単純にセレクティングに対する端末機器からの応答信号のデータ量を増やすことは、複数の被制御機器の連続的な起動制御が必要なときに、その起動制御の信号処理時間が長くなり、必要な火災感知器からの火災信号の受信に遅れが出ることとなり好ましくなく、また、上記応答信号のデータ量を可変長とすることも行えるが、データ量の情報を付加する必要があるとともに送受信のソフト構成が複雑かつ高度なものが必要となる。
【００１０】
したがって、本発明は、端末機器から状態情報を収集する際に、特定の状態変化の場合にデータ量を拡張して返信させることを目的とする。
【００１１】
【課題を解決するための手段】
本発明は、火災受信部からの１本の伝送線に複数の端末機器が接続されて該火災受信部が各端末機器を個別に監視制御する火災報知設備において、前記火災受信部から前記伝送線を介して前記各端末機器に対して呼出命令を送信し、該呼出命令への応答として、状態変化のある端末機器のみから前記伝送信号を介する割込応答信号、あるいは、前記各端末機器から前記伝送線を介する状態応答信号、いずれかを送信して前記火災受信部が受信することに基づいて、状態変化のある端末機器に特定する状態変化監視手段と、前記火災受信部から前記伝送線を介して前記各端末機器の一つを特定して制御命令を送信し、特定された端末機器が該制御命令に従う制御を実行するとともに、該制御命令への応答として、該特定された端末機器から前記伝送線を介する応答信号を送信して前記火災受信部が受信する個別制御手段と、前記火災受信部から前記伝送線を介して前記状態変化監視手段によって特定した前記状態変化のある端末機器の一つに対して、特定の状態変化の場合にデータ量の多い状態情報を返送させる拡張状態返送命令を送信し、特定された端末機器から前記伝送線を介するデータ量の多い拡張応答信号を送信して前記火災受信部が受信する情報拡張手段と、それぞれを備えていることを特徴とするものである。
【００１２】
そして、状態変化監視手段は、各端末機器の全体に対する呼出信号を送信するシステムポーリング手段、あるいは、各端末機器を複数のグループに分けて各グループごとに呼出信号を順次複数送信するポイントポーリング手段であり、同時に、前記各端末機器は、前記呼出信号あるいは前記自己のグループに対する呼出信号に対して割込応答信号あるいは情報応答信号の送信を所定のタイミングで行うものである。そして、状態変化監視手段によって特定した状態変化のある端末機器の一つに対して、特定の状態変化でない場合でかつ状態情報の返送が必要な場合に、個別制御手段における制御命令として状態情報返送命令を送信し、該状態情報返送命令への応答として、該特定された端末機器から状態情報を返送する応答信号を受信するものである。
【００１３】
また、特定の状態変化は、端末機器が試験機能付き中継器であって、該試験機能付き中継器が異常状態を示すときであり、そして、試験機能付き中継器は、感知器回線に自動試験機能付き感知器を所定数接続可能とされ、該自動試験機能付き感知器との間で信号伝送を行って、各自動試験機能付き感知器ごとの正常または異常の情報を収集するものであって、伝送線を介して拡張返送命令を受信した場合に、異常状態に関して前記各自動試験機能付き感知器ごとの正常または異常の情報をデータ量の多い状態情報として前記伝送線に送信するものである。なお、異常状態に関して、各自動試験機能付き感知器ごとの正常または異常の情報とともに、各自動試験機能付き感知器ごとの応答有無を送信するものである。
【００１４】
【発明の実施の形態】
以下、本発明の一実施形態について図面を用いて説明する。図１は、本発明の一実施形態に係る火災報知設備の概略的なシステム構成図である。
【００１５】
図１において、火災受信機１０と、この火災受信機１０に伝送線Ｌ１を通じて接続された試験機能付き中継器２０と、この試験機能付き中継器２０に感知器回線Ｌ２を通じて接続された複数の自動試験機能付き感知器（以下、ＡＴ感知器と略称）３０とが示されている。この火災受信機１０には、伝送線Ｌ１を通じて、ＡＴ感知器３０とは異なる伝送線Ｌ１を介して状態情報を送信する火災感知器等のその他の端末機器が、図示しないが、必要に応じて複数接続されている。
【００１６】
また、図１において、火災受信機１０は、制御部１１と、表示操作部１２と、記憶部１３と、送受信部１４とから構成されている。それぞれ詳細に説明しないが、この制御部１１は、ＣＰＵやタイマ等を含み、表示操作部１２は、ＬＣＤ等の表示装置および各種スイッチ類を含み、また、記憶部１３は、接続される端末機器に関するデータベースＤＢを含む。
【００１７】
さらに、図１において、中継器２０は、制御部２１と、送受信部２２と、信号検出部２３と、信号送出部２４とから構成されている。それぞれ詳細に説明しないが、この制御部２１は、ＣＰＵやタイマ等を含む。また、送受信部２２は、伝送線Ｌ１を介して火災受信機１０と接続され、さらに、信号検出部２３および信号送出部２４は、感知器回線Ｌ２を介して複数のＡＴ感知器３０に接続されている。
【００１８】
そして、ＡＴ感知器３０は、感知器回線Ｌ２に対して図示しない一般型感知器（オンオフ型）と混在して接続されており、ＡＴ感知器３０は、試験情報送出のためパルスを利用したコード信号を用いる信号伝送を行う。なお、ＡＴ感知器３０からの火災信号は、図示しない一般型感知器と同じようにオンオフ信号であり、試験機能付き中継器２０の信号検出部２３で検出される。つまり、ＡＴ感知器３０からの火災信号は、信号伝送ではなく、いわゆるスイッチング動作を行い、感知器回線Ｌ２を低インピーダンス状態とする。
【００１９】
図２は、火災受信機１０内に設けられるデータベースＤＢの構成例を示す図である。
【００２０】
図２において、データベースＤＢは、アドレス１３１と、端末名称１３２と、メッセージ１３３と枝番１３４とを備えて構成され、これらの項目以外に、連動設定、感度設定、蓄積有無など、個々の端末機器に必要なデータ設定が行える。アドレス１３１は、伝送線Ｌ１に接続される試験機能付き中継器２０等の端末機器に個別に付与される００１、００２、…、などの番号である。端末名称１３２は、監視用機器および被制御機器の端末機器として用いられている機種を特定するため、実際には簡略的なコードが設定されている。メッセージ１３３は、「１階  １番  実験室」等の設置場所を表すために文字列が設定され、例えば最大１６文字とされる。
【００２１】
また、枝番１３４は、端末機器が試験機能付き中継器２０の場合に、感知器回線Ｌ２に接続されているＡＴ感知器３０の有無を示しており、図１に示すシステム構成の起動時に、中継器２０が各枝番ごとに応答の有無を検出し、その結果を火災受信機１０が取り込んで、個々の枝番１３４に対するＡＴ感知器３０の有無がデータベースＤＢに設定される。
【００２２】
このようなデータベースＤＢを用いて、一例として図３に示すような、表示操作部１２への表示内容とすることができる。図３は、表示操作部１２における表示画面の一例であり、最上段ｄ１の左側において、アドレス１３１が「０５０」で、端末名称が中継器（試験機能付き中継器２０は「感知器」と表示することとしている）で、メッセージ１３３として「１階  １番  実験室」が表示され、さらに、アドレス１３１への枝番１３４として「０４」が表示されている。これによって、試験機能付き中継器２０に接続されている感知器のうち、出力値異常の発生しているＡＴ感知器３０を特定することができる。
【００２３】
なお、アドレス１３１の「０５０」の前にハイフンを介して示されている「１」は、伝送線Ｌ１の系統を区別しており、伝送線Ｌ１が複数設置されるときに、いずれの系統かを区別するものである。
【００２４】
また、図３において、最上段ｄ１は火災に関する情報（火災感知器に関する情報を含む）を表示する領域であり、第２段ｄ２は火災以外の情報（防排煙機器や地区音響装置などに関する情報）を表示する領域であり、そして、第３段ｄ３はガス漏れ警報に関する情報を表示する領域である。このように火災報知設備に関する端末機器の状態情報は、最上段ｄ１、第２段ｄ２または第３段ｄ３のいずれかに区別されて表示される。
【００２５】
また、図１の試験機能付き中継器２０のように、伝送線Ｌ１に接続されている各端末機器は、図示しないが、端末機器ごとに順次２桁の１６進数によって定められるアドレスが付与されている。すなわち、各端末機器には、００ｈ、０１ｈ、０２ｈ、…、ＦＥｈのようなアドレスが付与されている。ただし、以下の説明では、便宜上アドレスを１０進数で表すこともある。なお、このアドレスは、データベースＤＢ上の項目、アドレス１３１に対応するものである。
【００２６】
アドレス００ｈ〜ＦＥｈが付与されている端末機器は、１６個のグループＧ０〜Ｇ１５に分けられ、また、各グループ内にはそれぞれ原則１６個の端末機器が属することができる。すなわち、原則最大２５５個の端末機器が１本の伝送線Ｌ１に接続可能であり、伝送コードでは各アドレスは８ビットで表されることになる。
【００２７】
図４は、上記実施形態における端末機器のアドレスを８ビット構成のコードで示す図であり、図４（１）、（２）は、それぞれ１０進数の１０番目、２５５番目のアドレスを示している。
【００２８】
各端末機器の個々の２進数コードのアドレスは、図４に示されるように、上位４ビット（以下、上位桁という）と、下位４ビット（以下、下位桁という）とに分けられ、上位桁によって０からはじまるグループ番号を表し、下位桁によって０からはじまるグループ内の端末機器番号を表している。すなわち、図４（１）の１０番目の端末機器に着目すると、アドレスコードは２進数で「０００１００１」であり（１０進数の「９」）、そのアドレスコードの上位桁が「００００」であるので（０ｈ）、１０番目の端末機器は第０グループ（Ｇ０）に属し、その下位桁が「１００１」であるので（９ｈ）、そのグループ内における端末機器番号が９に対応することを示しており、これら上位桁と下位桁とを組み合わせた「０Ａｈ」が、設備全体から見た端末機器の順番として、アドレス０からはじまり１０番目であるアドレス９を示している。
【００２９】
また、図４（２）によるアドレス２５４に対応する２５５番目の端末機器に着目すると、その２進数によるアドレスコードが「１１１１１１１０」であり、その上位桁が「１１１１」であるので（Ｆｈ）、２５５番目の端末機器は第１５グループ（Ｇ１５）に属し、その下位桁が「１１１０」であるので（Ｅｈ）、そのグループ内における端末機器番号が１５に対応することを示しており、これら上位桁と下位桁とを組み合わせた「ＦＥｈ」が、設備全体から見た端末機器の順番として、２５５番目であるアドレス２５４（１０進数）を示している。
【００３０】
すなわち、各端末機器のアドレスは、８ビットのコード全体で、設備全体からみたアドレスを示し、同時に８ビットのコードの上位桁によってグループ番号を、８ビットのコードの下位桁によってグループ内の端末機器番号を示している。
【００３１】
このように、複数の端末機器のそれぞれに、複数の桁数で表されるアドレスを付与し、アドレスの中の特定の桁によってグループ番号を表しているので、「ポイントポーリング」においてグループ番号が共通する複数の端末機器を同時に呼出すことができる。また、呼出されたグループ番号を有する複数の端末機器のそれぞれは、グループ内の端末機器番号が互いに異なるので、各端末機器ごとに応答タイミングを割り当てることができる。
【００３２】
図５は、上記実施形態におけるポイントポーリングの動作を示すタイムチャートであり、ポイントポーリングは「グループ情報収集フレーム」と「発信機検出フレーム」とで構成されている。
【００３３】
「グループ情報収集フレーム」は、各端末機器を個々にポーリングするのではなく、上記のようにグループ化したグループごとに火災受信機１０が呼出すフレームである。呼出されたグループに属する各端末機器は、それぞれに割り当てられた応答タイミング時に、状態情報あるいは種別情報ＩＤ等のポイントポーリングによって要求されたデータを順次火災受信機１０に返信する。
【００３４】
つまり、上記ポイントポーリングによって、複数の端末機器が複数のグループに分けられ、火災受信機１０がグループごとに呼出を行い、複数のグループのうちの所定のグループに属する複数の端末機器から状態情報を、時分割で火災受信機１０が受信するものである。この方式によれば、１つのグループに属する端末機器が多数であるときに、状態変化の有る端末機器を迅速に検出することができる。
【００３５】
ここで、「状態情報」とは、端末機器がアナログ式火災感知器である場合は、検出した火災現象の物理量データであり、通常の中継器である場合は、一般型感知器等の監視用機器が接続されているときに、火災信号等を示すデータであり、防排煙機器等の被制御機器が接続されているときに、これらの機器の作動状態を示すデータである。さらに、試験機能付き中継器２０である場合は、感知器回線Ｌ２上の一般型感知器またはＡＴ感知器３０からの火災信号、あるいは、感知器回線Ｌ２上のＡＴ感知器から情報収集した結果の異常信号の有無を示すデータである。
【００３６】
ポイントポーリングを構成する「発信機検出フレーム」は、図示しない発信機が人為的に操作されるものであり、信頼性が高いので、速やかに作動情報を収集するために設けられたフレームである。したがって、発信機検出フレームは、図５に示すように、一つのグループに対してポイントポーリングが１回実行されるたびに、伝送線Ｌ１に接続されている全ての発信機が応答可能であり、発報中の発信機が存在すると、その発信機はポイントポーリングによる呼出に対して発信機に指定されているタイムスロットに自分のアドレスを火災受信機１０に対して返信する。
【００３７】
なお、図５における「システムポーリング」は、火災受信機１０が全ての端末機器に対して所定の制御命令を送信し、全ての端末機器を制御するものである。ここで、システムポーリングを用いて、火災受信機１０が全ての端末機器に対して行う制御命令は、例えば、火災復旧命令（全ての端末機器を正常な監視状態に復旧させる命令）、蓄積復旧命令（火災状態が継続しているかどうかを判別する蓄積動作を行うために、火災信号を送信した火災感知器や中継器等の端末機器を復旧させる命令）、地区音響停止命令（鳴動中の地区ベル等の音響装置を停止させる命令）などである。
【００３８】
また、図５における「セレクティング」は、個別の端末機器に対してアドレスを指定して所定の制御命令を送信し、当該端末機器を制御したり、また、任意の端末機器に状態情報等の要求命令を特定の端末装置に送信して、個々に端末機器から状態情報等を収集する動作である。
【００３９】
図５における伝送フレームのタイムチャートについて説明する。
【００４０】
ポイントポーリングは「グループ情報収集フレーム」と「発信機検出フレーム」とで構成され、「グループ情報収集フレーム」は受信機１０が端末機器の呼出しを行う「受信機フィールド」と、それに続けて伝送が行われない「第１ウェイティングフィールドＷＦ１」と、呼出された端末機器が信号伝送を行う「端末機器フィールド」とで構成され、また、「発信機検出フレーム」は受信機１０と図示しない発信機との間で信号伝送を行う「発信機フィールド」とそれに続けて伝送が行われない「第２ウェイティングフィールドＷＦ２」とで構成される。
【００４１】
ここで、端末機器フィールドにおいて、呼出しを受けたグループに属する１６個の端末機器が、グループ内の端末機器番号に基づいた各端末機器ごとに割り当てられた応答タイミングに、順次データを返信する。
【００４２】
そして、１回のポイントポーリングが終了すると、火災受信機１０は次ぎのグループを指定するポイントポーリングを実行し、これを繰り返して全てのグループに対してポイントポーリングを行うことで、全ての端末機器から状態情報または種別情報ＩＤを収集することができる。さらに、最終のグループに対するポイントポーリングが終了すると、原則的に再度最初のグループからポイントポーリングを実行し、状態情報等の収集を続ける。
【００４３】
図５における横線の上の信号は、火災受信機１０から送信される信号であり、その横線の下の信号は、端末機器から送信される信号である。そして、火災受信機１０から送信されるアドレスＡＤ、コマンドＣＭ１、ＣＭ２、一次サムチェックコードＰＳの各コードと、端末機器から返信される返送データＤ１、二次サムチェックコードＳＳ、自己のアドレスＤＡ、返送データＤ１、Ｄ２の各コードとについて説明する。ここで、各コードはスタートビットおよびストップビットが追加された８ビットのデータ領域の１０ビットでそれぞれ構成される。
【００４４】
まず、アドレスＡＤは、２桁の１６進数で表す００ｈからＦＥｈまでの端末機器のアドレスを指定するためのデータ領域であり、通常のアドレスが示される場合には、セレクティング動作であり、特定のアドレス、ここではＦＦｈである場合に、ポイントポーリングまたはシステムポーリングであることを示している。
【００４５】
コマンドＣＭ１は、アドレスＡＤがＦＦｈである場合、コマンドＣＭ１は行われているポーリングの種類を示している。例えば、コマンドＣＭ１が０Ｘｈである場合にはポイントポーリング動作であることを示し、ＦＸｈである場合にはシステムポーリング動作であることを示している。ここで、Ｘは０からＦまでであり（１６進数）、コマンドＣＭ１が００ｈであれば、状態情報を返送させるポイントポーリングを示し、０１ｈであれば、種別情報ＩＤ（端末機器の機種等を示すコード）を返送させるＩＤポイントポーリングであることを示している。また、コマンドＣＭ１がＦ０ｈであれば、システムポーリングによる火災復旧命令を示しており、Ｆ１ｈであれば蓄積復旧命令、あるいは、Ｆ２ｈであれば地区音響停止命令を示している。
【００４６】
また、セレクティングの場合にコマンドＣＭ１はその内容を示し、例えば、０１ｈであれば状態情報返送命令であることを示し、０２ｈであれば火災試験命令、０３ｈまたは０４ｈであれば確認灯点灯命令または確認灯消灯制御命令等であることを示している。さらに、拡張セレクティングの場合は、セレクティングのコマンドＣＭ１を、例えば７１ｈとすることで、拡張セレクティングであることを示し、異常状態に関する状態情報返送命令であることを示している。
【００４７】
コマンドＣＭ２はポイントポーリングである場合に主に使用され、コマンドＣＭ２の下位桁によって、所定の情報を返送すべきグループを示している。例えば、コマンドＣＭ２は０Ｘｈで表され、Ｘは上記と同様でグループ番号を示す。
【００４８】
一次サムチェックコードＰＳは、火災受信機１０からの伝送が正常に行われたかどうか端末機器が確認するためのコードであり、所定の演算によって得られる。
【００４９】
他方、複数の端末機器から返信されるデータは、ポイントポーリングの場合、返送データＤ１が状態情報または種別情報ＩＤであり、同時に二次サムチェックコードＳＳが所定の演算の結果として送信される。また、セレクティングの場合、アドレスＤＡは送信する端末機器の自己のアドレスであり、返送データＤ１、Ｄ２は状態情報、種別情報ＩＤ等である。
【００５０】
次に、上記実施形態における伝送線Ｌ１上でのポーリングに関する動作について説明する。図６は、上記実施形態における火災受信機１０の伝送動作を示すフローチャートである。
【００５１】
まず、電源を投入することによって立ち上げが行われた後、初期設定を行い（Ｓ１）、例えば全てのアドレスについてデータベースＤＢとして登録されている機種が実際に設置されている機種と一致することを確認する状態合わせの動作、および、試験機能付き中継器２０があるときにその感知器回線Ｌ２に接続されているＡＴ感知器３０の枝番を収集する拡張セレクティング動作など、実際の監視制御を行う前に設定、確認されるべき動作を行う。
【００５２】
そして、表示操作部１２からのオペレータの端末機器制御入力等によるセレクティング命令の有無を判断し（Ｓ２）、セレクティング命令がない場合、後述するように設定される拡張セレクティング命令の有無を判断し（Ｓ７）、拡張セレクティング命令がない場合、表示操作部１２からの復旧入力等のシステムポーリング命令の有無を判断し（Ｓ３）、システムポーリング命令がない場合、呼出すグループを特定して、ポイントポーリングを行う（Ｓ４）。その後、ステップＳ２へ戻り、上記動作（Ｓ２〜Ｓ４）を繰り返して、順次グループを変えてポイントポーリング（Ｓ４）を行っていく。
【００５３】
このポイントポーリングにおける各端末機器からの情報収集は（Ｓ４）、常時状態情報を収集しており、所定のタイミング、例えば５回に１回の頻度でＩＤポイントポーリングを行って、各端末機器の種別情報ＩＤを返送させて端末機器の設置状態を確認する。
【００５４】
そして、ポイントポーリングにおいて（Ｓ４）、状態情報の収集結果として、いずれかの端末機器に状態変化があると判別されるときに、その端末機器の状態に合わせて音声警報や情報表示のような報知動作を行う。ここで、ポイントポーリングによる状態変化の有無は、図５のタイムチャートに示されるような個々の端末機器から返送されてきた状態情報を示す返送データＤ１、Ｄ２を保存し、前回収集した状態情報との対比によって変化の有無が判別される。なお、端末機器がアナログ式火災感知器に場合には、返送データＤ１、Ｄ２は検出した煙や温度のレベルに関するアナログデータであり、火災判別処理の結果によって状態を判別する。
【００５５】
また、このポイントポーリングにおいて（Ｓ４）、状態情報の収集結果として、状態変化がある端末機器が試験機能付き中継器２０である場合、かつ、状態変化が異常と判別される場合に、その試験機能付き中継器２０からＡＴ感知器３０が設定される全アドレスに関する状態情報を返送させるために、拡張セレクティング命令をセットする。
【００５６】
その後、ステップＳ２へ戻るときに、セレクティング命令なしとなり（Ｓ２）、続けて、拡張セレクティング命令の有無の判断において、拡張セレクティング命令有りとなり（Ｓ７）、試験機能付き中継器２０に対する異常状態に基づく拡張セレクティングを行う（Ｓ８）。
【００５７】
ここで、拡張セレクティングとセレクティングとの違いについて、図７を用いて説明する。図７において、図７（ａ）は図５と同様のセレクティングのタイムチャートであり、図７（ｂ）は拡張セレクティングのタイムチャートである。
【００５８】
セレクティングにおける１伝送フレームの時間は、一例として図７（ａ）に示すように、受信機フィールドが約１７ｍｓ、ウェイティングフィールドが約４ｍｓ、端末機器フィールドが約１７ｍｓ、待機時間約１３秒で、合計約５０ｍｓである。
【００５９】
これに対して、拡張セレクティングにおける１伝送フレームの時間は、一例として図７（ｂ）に示すように、受信機フィールドが約１７ｍｓ、ウェイティングフィールドが約４ｍｓ、端末機器フィールドが約７５ｍｓ、待機時間約１３秒で、合計約１０８ｍｓである。これらを対比すると明らかなように、端末機器フィールドのデータ領域だけが約８倍に拡張されており、火災受信機１０は、拡張セレクティングの信号送信を行うと同時に、拡大されたデータ領域を受信するようにタイミングを取り、拡張セレクティングを用いることによって、通常のセレクティングでは一度に送れない多量のデータを送信することを可能とする。
【００６０】
なお、セレクティングでは、データＤ１には受信機フィールドにおけるコマンドＣＭ１を返し、データＤ２において端末機器の状態情報を返信する。これに対し、拡張セレクティングでは、データＤ１からＤ１６までのデータ領域のうち、データＤ１には受信機フィールドにおけるコマンドＣＭ１を返し、データＤ２からＤ６までにおいて、ＡＴ感知器３０の状態として通番１から３０までの出力異常の情報を、データＤ８からＤ１２までにおいて、ＡＴ感知器３０の状態として通番１から３０までの無応答に関する情報を、それぞれ割り当て返送する。なお、データＤ７およびＤ１３からＤ１６まではここでは未使用である。このようなデータ構成については、情報に応じて任意に設定することができる。
【００６１】
このように、試験機能付き中継器２０が異常状態を示す場合のみ、拡張セレクティングを用いることで、通常のセレクティングによる個々の端末機器の制御動作の時間を短縮することができる。
【００６２】
次ぎに、感知器回線Ｌ２を介する試験機能付き中継器２０とＡＴ感知器３０との間の信号伝送について説明する。
【００６３】
図８は、感知器回線Ｌ２上の信号伝送の一例を示す波形図である。
【００６４】
図８において、「親」は図１における中継器２０であり、「子」は図１におけるＡＴ感知器３０である。感知器回線Ｌ２ごとに一般型感知器と混在して設けられる複数のＡＴ感知器３０に個別のアドレスが付与されていて、中継器２０は、そのアドレスに基づいてＡＴ感知器３０をグループ化して、１５アドレス単位でＡＴ感知器３０のデータを収集するもので、起動パルス、基準パルス、コマンドＣＭを送出する。
【００６５】
起動パルスは、ＡＴ感知器３０に伝送開始を認識させるためのパルスであり、中継器２０はパルス幅２ｍｓのローパルスを送出する。このパルスに基づき、ＡＴ感知器３０の図示しないマイコンは、スリープモードから立ち上がる。この図示しないマイコンは、火災検出動作等の必要な動作後にスリープモードに入るものであり、スリープモードからスタートして安定に動作するには所定の時間が必要となる。
【００６６】
基準パルスは、伝送上のパルス間隔の基本長となるパルスであり、図８に示されるように、立下りエッジ（レベルのハイからローへの変化タイミング）の間隔で、ここでは４ｍｓとなっている。
【００６７】
コマンドＣＭは、ＡＴ感知器３０への制御コマンドであり、８ビット（ｂ７〜ｂ０）のコードを４つのパルス間隔で示し、各パルスそれぞれについて間隔を判断して信号伝送のコードに置き換える。
【００６８】
このように、１つの立下りエッジ間隔で２ビットのコードを示し、エッジ間隔が４ｍｓが００ｂ、６ｍｓが０１ｂ、８ｍｓが１０ｂ、１０ｍｓが１１ｂであり、これらの組み合わせによって、アドレス１〜１５のデータを収集するポーリング１と、アドレス１６〜３０のデータを収集するポーリング２等のコマンドＣＭを形成する。そして、ＡＴ感知器３０はコマンドＣＭを解析して伝送内容を認識する。また、詳細に説明しないが、ＡＴ感知器３０を指定して試験命令等の制御コマンドとしてのセレクティング、ＡＴ感知器３０全てをスリープモードとするスリープ開始命令等に利用される。
【００６９】
スロット０〜１４は、ＡＴ感知器３０から中継器２０へ送信するタイミングを定めるものであり、ＡＴ感知器３０は、ポーリング１またはポーリング２に合わせた自己のアドレスに基づくスロット位置（図９（ａ）参照）を判断し、該当するスロットに正常または異常を表すコードを示すパルス（図９（ｂ）参照）を送信する。すなわち、各ＡＴ感知器３０において、試験機能の結果として機能が正常であればパルス幅２ｍｓ、異常であればパルス幅４ｍｓ、いずれか一つのパルスが返送される。
【００７０】
このような信号伝送を用い、中継器２０は、制御コマンドＣＭ内にポーリング１またはポーリング２の制御内容を含めて送信することで、感知器回線Ｌ２に接続された最大３０個のＡＴ感知器３０の正常または異常の情報について個別に収集することができる。ここで、各スロット内のパルスの有無につき、図９（ｂ）に示すようなパルスが返信されないときに、中継器２０は、そのスロットのＡＴ感知器３０が無応答であると判断し、異常を示すパルス返送と区別して無応答と判別する。この無応答の状態は、ＡＴ感知器３０の故障もあるが、感知器回線Ｌ２からの脱落（取外しを含む）の場合が多い。
【００７１】
なお、ここでは１本の感知器回線Ｌ２にアドレス指定できるＡＴ感知器３０は３０個までとなっているが、この個数に限定する必要はなく、スロットの数やポーリング１または２の個数によって任意に設定することができる。
【００７２】
このようにして、試験機能付き中継器２０がＡＴ感知器３０から火災信号を従来の中継器と同様にスイッチング動作によって、一般型感知器を含めて検出するものであって、そして、感知器回線Ｌ２における信号伝送によって各ＡＴ感知器３０の自動試験結果および接続の有無を収集できるものであり、異常または無応答となったＡＴ感知器３０を中継器２０が認識する。
【００７３】
したがって、中継器２０が受信する感知器回線Ｌ２におけるＡＴ感知器３０の情報は、火災検出時には検出と同時にスイッチング動作によって火災信号が中継器２０に認識でき、また、ＡＴ感知器３０の機能異常の検出時には、火災検出時に比較して急がないので、信号伝送は安定したものでよいことになる。例えば、試験機能付き中継器２０による各ＡＴ感知器３０の自動試験結果および接続の有無収集動作は、試験機能付き中継器２０の動作に基づき所定時間、３分毎等で定期的に行えばよい。
【００７４】
また、中継器２０は、感知器回線Ｌ２が複数設置され、各感知器回線Ｌ２ごとにＡＴ感知器３０を含む火災感知器からの火災信号を認識するとともに、各ＡＴ感知器３０の枝のアドレスも感知器回線Ｌ２ごとに認識する。なお、ここでいう一つの中継器２０に複数の感知器回線Ｌ２が設けられる場合、火災受信機１０とのポーリング動作に応答する端末機器としてのアドレスは感知器回線Ｌ２ごとに設定され、このことから、伝送線Ｌ１上において一つの中継器２０は複数アドレスを有してそれぞれのアドレスに対して応答することとなる。
【００７５】
以上のように、本発明は、火災受信部からの１本の伝送線に複数の端末機器が接続されて該火災受信部が各端末機器を個別に監視制御する火災報知設備において、前記火災受信部から前記伝送線を介して前記各端末機器に対して呼出命令を送信し、該呼出命令への応答として、状態変化のある端末機器のみから前記伝送信号を介する割込応答信号、あるいは、前記各端末機器から前記伝送線を介する状態応答信号、いずれかを送信して前記火災受信部が受信することに基づいて、状態変化のある端末機器に特定する状態変化監視手段と、前記火災受信部から前記伝送線を介して前記各端末機器の一つを特定して制御命令を送信し、特定された端末機器が該制御命令に従う制御を実行するとともに、該制御命令への応答として、該特定された端末機器から前記伝送線を介する応答信号を送信して前記火災受信部が受信する個別制御手段と、前記火災受信部から前記伝送線を介して前記状態変化監視手段によって特定した前記状態変化のある端末機器の一つに対して、特定の状態変化の場合にデータ量の多い状態情報を返送させる拡張状態返送命令を送信し、特定された端末機器から前記伝送線を介するデータ量の多い拡張応答信号を送信して前記火災受信部が受信する情報拡張手段と、それぞれを備えていることによって、いずれかの端末機器に発生する状態変化を、火災受信部が即座に認識できるとともに、状態に関する情報が複雑な場合があってもデータ量の拡張を可能とし、的確に情報を収集することができる。例えば、端末機器の中継器に複数の機器が接続されて各機器の状態について火災受信部が個別に収集することができ、火災受信部による監視制御動作における適切な信号伝送を実現できる。
【００７６】
そして、状態変化監視手段は、各端末機器の全体に対する呼出信号を送信するシステムポーリング手段、あるいは、各端末機器を複数のグループに分けて各グループごとに呼出信号を順次複数送信するポイントポーリング手段であり、前記各端末機器は、前記呼出信号あるいは前記自己のグループに対する呼出信号に対して割込応答信号あるいは情報応答信号の送信を所定のタイミングで行うことにより、火災受信部が個々の信号の送信元を特定することができる。そして、状態変化を示した端末機器については、その状態変化のないようを確認する場合に、個別制御手段における制御命令として状態情報返送命令を送信し、該状態情報返送命令への応答として、該特定された端末機器から状態情報を返送する応答信号を受信することで、状態を認識することができる。
【００７７】
また、特定の状態変化は、端末機器が試験機能付き中継器であって、該試験機能付き中継器が異常状態を示すときであり、そして、試験機能付き中継器は、感知器回線に自動試験機能付き感知器を所定数接続可能とされ、該自動試験機能付き感知器との間で信号伝送を行って、各自動試験機能付き感知器ごとの正常または異常の情報を収集するものであるときに、有利であって、伝送線を介して拡張返送命令を受信した場合に、異常状態に関して前記各自動試験機能付き感知器ごとの正常または異常の情報をデータ量の多い状態情報として前記伝送線に送信することができる。なお、異常状態に関して、各自動試験機能付き感知器ごとの正常または異常の情報とともに、各自動試験機能付き感知器ごとの応答有無を送信することも可能である。
【図面の簡単な説明】
【図１】本発明の一実施形態を示すシステム構成図。
【図２】図１の火災受信機内に設けられるデータベースの構成図。
【図３】図１の火災受信機における表示内容を示す画面構成図。
【図４】図１の中継器に設定されるアドレスの構成を示す説明図。
【図５】図１におけるポーリング動作を示すタイムチャート。
【図６】図１の火災受信機の伝送動作を示すフローチャート。
【図７】図１における拡張セレクティングを示すタイムチャート。
【図８】図１の感知器回線上の信号伝送を示すタイムチャート。
【図９】図８のタイミングおよびパルスの説明図。
【符号の説明】
１０  火災受信機
２０  試験機能付き中継器
３０  試験機能付き感知器
【図１】
2004355544.tif 000003
【図２】
2004355544.tif 000004
【図３】
2004355544.tif 000005
【図４】
2004355544.tif 000006
【図５】
2004355544.tif 000007
【図６】
2004355544.tif 000008
【図７】
2004355544.tif 000009
【図８】
2004355544.tif 000010
【図９】
2004355544.tif 000011